(57)【要約】【課題】内径部をスタッドボルトの雄ネジ部にてタッピングさせながらネジ結合させるようにしたプラスチック製グロメットを有するクリップにてシート状部材をスタッドボルトのところに取付ける。【解決手段】クリップを、パネル３に設けられたスタッドボルト５を内包するとともにフロアカバー等のシート状部材６に設けられたクリップ装着用穴６６内に挿入される筒状部１１及びシート状部材６のクリップ装着用穴６６周りを保持するように形成されたフランジ部１２からなるスペーサ１と、シート状部材６のクリップ装着用穴６６内に装着されるものであって、スタッドボルト５の雄ネジ部５１とネジ結合するナット部２１及びスペーサ１に形成されたフランジ部１２と共同してシート状部材６のクリップ装着用穴６６周りを挟持するように形成された弾性フランジ部２２を有するプラスチック製グロメット２と、からなるようにする。【選択図】図１
2005090681.tif 000002
【特許請求の範囲】
【請求項１】
シート状部材に設けられたクリップ装着用穴内に挿入される筒状部を有し、更に、上記シート状部材のクリップ装着用穴周りを保持するように形成されたフランジ部を有するスペーサと、当該スペーサを形成する上記筒状部の内径側に挿入されるとともに、パネルに設けられたスタッドボルトの雄ネジ部とネジ結合する雌ネジ部を形成することとなる雌ネジ相当部を有し、更に、上記スペーサに形成されたフランジ部と共同して上記シート状部材のクリップ装着用穴周りを挟持するように形成された弾性フランジ部を有するものであって所定のプラスチック材にて形成されるグロメットと、からなることを特徴とするクリップ。
【請求項２】
請求項１記載のクリップにおいて、上記グロメットの雌ネジ部を、本グロメットを上記スタッドボルトのところに取付ける際に、上記スタッドボルトの雄ネジ部にてネジ溝が形成されるようにしたタッピング雌ネジ部からなるようにしたことを特徴とするクリップ。
【請求項３】
請求項１または請求項２記載のクリップにおいて、上記スペーサを所定のプラスチック材にて形成するとともに、当該スペーサを形成する筒状部の一方の端部であって上記フランジ部を有しない側の端部のところに、内径側へ突出するように形成された係合部を設け、一方、上記グロメットの雌ネジ相当部の下方部のところであって上記弾性フランジ部の設けられるところよりも下方部のところに、上記スペーサに設けられた係合部と係合するように形成されるものであって弾性変形可能なように形成されたフック部を設けるようにしたことを特徴とするクリップ。
【発明の詳細な説明】
【技術分野】
【０００１】
本発明は、パネルに設けられたスタッドボルトのところに、フロアカバー等のシート状部材を取付ける際に用いられるクリップに関するものであり、特に、その取付けを確実な状態にするために、本クリップを形成するものであってスタッドボルトのネジ部と係合するグロメットをプラスチック製のものからなるようにするとともに、その雌ネジ部は上記スタッドボルトの雄ネジ部にてタッピングされることによって形成されるようにしたことを特徴とするクリップに関するものである。
【背景技術】
【０００２】
一般に、シート状部材をパネル面等に固定する方法としては、例えば、実開平６−２４２１２号公報等に記載されるように、パネル面に設けられたスタッドボルトのところにシート状部材を取付けた後、その表面側からスナップ式のクリップを装着することによって行われるようになっているものである。
【特許文献１】実開平６−２４２１２号公報
【発明の開示】
【発明が解決しようとする課題】
【０００３】
ところで、上記スナップ式のクリップにおいては、クリップの内径側に設けられた係合爪を、上記スタッドボルトの雄ネジ部のところに係合させることによって、クリップの係合力（保持力）を発揮させるようにしているものである。従って、その保持力（係合力）には自ずから限界があり、強力な保持力を発揮させることは難しい。このような問題点に対処するために、シート状部材をスタッドボルトのところに取付けた後に、その表面側からプラスチック製のグロメットを、上記スタッドボルトの雄ネジ部のところに、雌ネジ部をタッピング手段にて形成させながらネジ結合させるようにしたクリップにて、上記シート状部材をスタッドボルトのところに強力に固定するようにした、タッピング方式のグロメットを有するクリップを提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、シート状部材に設けられたクリップ装着用穴内に挿入される筒状部を有し、更に、上記シート状部材のクリップ装着用穴周りを保持するように形成されたフランジ部を有するスペーサと、当該スペーサを形成する上記筒状部の内径側に挿入されるとともに、パネルに設けられたスタッドボルトの雄ネジ部とネジ結合する雌ネジ部を形成することとなる雌ネジ相当部を有し、更に、上記スペーサに形成されたフランジ部と共同して上記シート状部材のクリップ装着用穴周りを挟持するように形成された弾性フランジ部を有するものであって所定のプラスチック材にて形成されるグロメットと、からなるようにした構成を採ることとした。
【０００５】
次に、請求項２記載の発明である第二の発明について説明する。このものも、その基本的な点は上記第一の発明と同じである。すなわち、本発明においては、上記第一の発明におけるクリップに関して、上記グロメットの雌ネジ部を、本グロメットを上記スタッドボルトのところに取付ける際に、上記スタッドボルトの雄ネジ部にてネジ溝が形成されるようにしたタッピング雌ネジ部からなるようにした構成を採ることとした。
【０００６】
次に、請求項３記載の発明である第三の発明について説明する。このものも、その基本的な点は、上記請求項１または請求項２記載の発明である第一の発明または第二の発明と同じである。すなわち、本発明においては、上記第一の発明または第二の発明におけるクリップに関して、上記スペーサを所定のプラスチック材にて形成するとともに、当該スペーサを形成する筒状部の一方の端部であって上記フランジ部を有しない側の端部のところに、内径側へ突出するように形成された係合部を設け、一方、上記グロメットの雌ネジ相当部の下方部のところであって上記弾性フランジ部の設けられるところよりも下方部のところに、上記スペーサに設けられた係合部と係合するように形成されるものであって弾性変形可能なように形成されたフック部を設けるようにした構成を採ることとした。
【発明の効果】
【０００７】
第一の発明によれば、フロアカバー等のシート状部材はパネルのスタッドボルト装着部のところに、クリップを介して確実に取付けられる（固定される）ようになる。具体的には、シート状部材は、当該シート状部材に設けられたクリップ装着用穴周りが、グロメットに設けられた弾性フランジ部と、スペーサに設けられたフランジ部とによって挟持された状態にて保持されるとともに、このような両フランジ部にて挟持された状態のものが、上記スタッドボルトのところにネジ結合されるので、シート状部材は確実に上記パネル面上に取付けられる（固定される）ようになる。
【０００８】
また、第二の発明のものにおいては、上記シート状部材を挟持した状態のクリップが、当該クリップを形成するグロメットを介して上記スタッドボルトのところにネジ結合状態で取付けられる（装着される）こととなるので、シート状部材は、スタッドボルトのところに確実に固定されることとなる。特に、本発明のものにおいては、グロメットの雌ネジ部が、当該グロメットの上記スタッドボルトへの取付け（締付け）に連動して行われるタッピング手段にて形成されるようになっているので、グロメットの雌ネジ部は上記スタッドボルトの雄ネジ部のところに強力にネジ結合されるようになる。その結果、本クリップは上記スタッドボルトのところに強固に取付けられるようになる。従って、フロアカバー等のシート状部材は、上記クリップ及びスタッドボルトを介してパネル面上に確実に固定されるようになる。
【０００９】
また、第三の発明のものにおいては、シート状部材のクリップ装着用穴周りのところが、クリップを形成するグロメットの弾性フランジ部とスペーサ側に設けられたフランジ部とにて挟まれた状態で保持されるようになる。すなわち、グロメットとスペーサとからなるクリップはシート状部材のところに仮装着された状態となる。このようなクリップの仮装着された状態のシート状部材を、パネル面に設けられたスタッドボルトのところへ持って行き、上記クリップの内径穴のところへスタッドボルトの先端部を臨ませてグロメットのナット部をネジ廻すようにする。これによって、クリップをスタッドボルトのところに固定させることができるようになる。その結果、シート状部材は仮装着されたクリップを介してパネル面上に確実に固定される（取付けられる）ようになる。このように、シート状部材にクリップを仮装着させることによって、シート状部材のパネル面への取付作業が円滑に進められるようになる。
【発明を実施するための最良の形態】
【００１０】
本発明を実施するための最良の形態について、図１ないし図５を基に説明する。本実施の形態にかかるものの、その基本となるクリップは、図１及び図２に示す如く、パネル３に設けられたスタッドボルト５を内包するとともにフロアカバー等のシート状部材６に設けられたクリップ装着用穴６６内に挿入される筒状部１１を有し、更に、上記シート状部材６のクリップ装着用穴６６周りを保持するように形成されたフランジ部１２を有するスペーサ１と、当該スペーサ１と対の状態で上記シート状部材６のクリップ装着用穴６６内に装着されるものであって、上記スタッドボルト５の雄ネジ部５１とネジ結合するナット部２１を有するとともに上記スペーサ１に形成されたフランジ部１２と共同して上記シート状部材６のクリップ装着用穴６６周りを挟持するように形成された弾性フランジ部２５を有するプラスチック製のグロメット２と、からなることを基本とするものである。
【００１１】
このような構成からなるものにおいて、上記スタッドボルト５は、その下端部５５のところがパネル３に所定の溶接手段を介して取付けられるようになっているものである。このようなスタッドボルト５の根元のところに取付けられるスペーサ１は、主にポリアミド樹脂等のプラスチック材にて形成されるものであって中空円筒状の筒状部１１と、当該筒状部１１に対して直角の方向に設けられるフランジ部１２と、からなるものである。そして、これら筒状部１１とフランジ部１２とが所定のプラスチック材にて一体的に成形されるようになっているものである。また、このような構成からなる筒状部１１の上端部のところには、当該筒状部１１の中心線方向に突出するように形成された突起状の係合部１１１が設けられるようになっているものである。
【００１２】
一方、上記スペーサ１と対の状態で使用されるグロメット２は、上記スペーサ１と同様、ポリアミド樹脂を含む所定のプラスチック材にて形成されるものであって、上記スタッドボルト５の雄ネジ部５１とネジ結合する中空状のナット部２１と、当該ナット部２１の下方部に当該ナット部２１に連続して設けられるものであって、上記スペーサ１の筒状部１１の内径部１５のところに嵌り込むように形成される挿入部２２と、これら挿入部２２及びナット部２１に対して直角の方向に設けられるものであって全体的に弾性反発力を有するように形成される弾性フランジ部２５と、からなることを基本とするものである。そして、これら各部２１、２２、２５は、ポリアミド樹脂等の所定のプラスチック材にて一体的に成形されるようになっているものである。
【００１３】
また、このような構成からなるものにおいて、上記挿入部２２のところには、図２に示す如く、上記スペーサ１の筒状部上端部に設けられた係合部１１１と係合するフック部２２１が設けられるようになっている。そして、当該フック部２２１を含む挿入部２２は、上記ナット部２１の中心線（軸線）に対して、その直角方向へ、全体的に弾性変形をするようになっているものである。また、このような挿入部２２の内径側のところには、図３に示す如く、テーパ面からなるガイド部２２２が設けられるようになっている。このガイド部２２２は、挿入部２２内にスタッドボルト５が挿入される場合のガイドの役目を果たすようになっているものである。
【００１４】
また、このような構成からなる本グロメット２の、そのナット部２１の内径部側のところには、図３に示す如く、本ナット部２１の軸線に対して平行なように複数本のリセス溝２１１が設けられるようになっている。そして、このリセス溝２１１は、図４に示す如く、ナット部２１の横断面形態において、ナット部２１の軸線を中心にして、放射状に、かつ、等間隔状に設けられるようになっているものである。なお、このリセス溝２１１に関しては、図４に示す如く、ナット部２１の横断面形態において、リセス溝２１１の断面積（Ａ）の方が、相隣るリセス溝２１１、２１１間に設けられるランド部２１６の断面積（Ｂ）よりも大きいか若しくは同等の値を有するようになっているものである。すなわち、Ａ≧Ｂの関係式が成り立つようになっているものである。また、このようなナット部２１の外径部側には、例えば図５に示すように、当該ナット部２１を、その軸線周りに回転駆動させる（締付ける）ための工具係合部２１５が設けられるようになっているものである。なお、このような工具係合部２１５を含むナット部２１の外径部側には、図３に示す如く、軸線方向に所定の傾斜角（θ）からなる逃げ角が設けられるようになっている。これによって、上記ナット部２１を、例えば６角レンチ等からなる工具９を用いてタッピングしながら締め付けた場合に、最終的に、工具９とナット部２１の外径部とが密着してしまうのを回避させるようにしているものである。
【００１５】
次に、このような構成からなる本クリップのシート状部材６への装着方法、及び当該クリップの装着された状態のシート状部材６のスタッドボルト５への取付方法（装着手順）等について説明する。まず、図１に示す如く、スペーサ１の筒状部１１のところをシート状部材６のクリップ装着用穴６６内に嵌め込ませる（取付ける）。このような状態において、上記スペーサ１のフランジ部１２が存在する側とは反対の側からグロメット２を取付ける。具体的には、グロメット２の挿入部２２を上記スペーサ１の筒状部１１内に挿入する。そして、このとき、挿入部２２の先端部に形成されたフック部２２１が、すでに取り付けられているスペーサ１の筒状部１１の、その上端部に設けられた係合部１１１と係合するようにグロメット２のナット部２１を下方に押し込む。そして、上記フック部２２１と係合部１１１とを係合させる（図２参照）。これによって、スペーサ１側のフランジ部１２とグロメット２側の弾性フランジ部２５とがシート状部材６のクリップ装着用穴６６周りを挟んだ状態（挟持した状態）で、本クリップはシート状部材６のクリップ装着用穴６６のところに仮装着されることとなる。なお、このとき、スペーサ１の筒状部１１の外径部とシート状部材６のクリップ装着用穴６６の内径部との間には、図２に示すように、その径方向において余裕（隙間）が設けられるようになっている。一方、スペーサ１の軸方向に関しては、上記弾性フランジ部２５等にて、上記シート状部材６のクリップ装着用穴６６の周りが所定の緊迫力にて挟持されるようになっている。
【００１６】
次に、このように仮装着されたクリップを有するシート状部材６をパネル３に設けられたスタッドボルト５のところへ持って行き、スタッドボルト５の先端部５２を、すでに仮装着されたスペーサ１の、その筒状部１１の内径部１５のところに臨ませる。そして、このとき、上記スタッドボルト５の先端部５２をグロメット２の挿入部２２の下端部に形成されたガイド部２２２のところへと導くようにする。このような状態において、スペーサ１の内径部１５のところに挿入されているグロメット２の挿入部２２の中心線（軸線）及びナット部２１の軸線とスタッドボルト５の軸線とを合致させたうえで、グロメット２を形成するナット部２１のところを上記スタッドボルト５側へ締付けるように廻す。すなわち、ナット部２１の外側に形成された工具係合部２１５のところにレンチ等の工具９を係合させて、ナット部２１のところをスタッドボルト５の雄ネジ部５１側へネジ込ませるように廻す。これによって、上記ナット部２１の内径側はスタッドボルト５の雄ネジ部５１によってタッピングされるとともに、当該ナット部２１の内径部側には雌ネジ部２１２が形成されることとなる。その結果、ナット部２１を有するグロメット２はスタッドボルト５のところに強固に結合されるとともに、当該グロメット２の弾性フランジ部２５とスペーサ１のフランジ部１２とにて挟持されたシート状部材６も上記スタッドボルト５のところに固定されるようになる。すなわち、シート状部材６は、上記クリップ及びスタッドボルト５を介してパネル３のところに確実に取付けられる（固定される）ようになる。このように、本実施の形態ものにおいては、スペーサ１とグロメット２とからなるものであって仮装着された状態のクリップを介して、シート状部材６のスタッドボルト５への装着作業（取付作業）が行われることとなるので、シート状部材６のパネル３への取付作業等が、円滑に、かつ、効率良く行われることとなる。特に、上記クリップは、クリップを形成するスペーサ１の筒状部１１の外径部と、シート状部材６のクリップ装着用穴６６の内径部との間が径方向に余裕をもたせたルーズな状態で仮装着されるようになっているので、パネル３に取付けられた複数本のスタッドボルト５どうしのピッチ間において、仮に多少の誤差があったとしても、これらは仮装着されたクリップのいずれかが移動をすることによって自動的に微調整されるようになる。その結果、シート状部材６のスタッドボルト５のところへの取付作業は円滑に進められるようになる。
【００１７】
このようなグロメット２のスタッドボルト５への締付作業時において、グロメット２を形成するナット部２１の内径部側のランド部２１６のところは、スタッドボルト５の雄ネジ部５１によるタッピングを受けることとなる。そして、このとき、ナット部２１の内径部側には、図３及び図４に示すようなリセス溝２１１及びランド部２１６が設けられるようになっており、上記タッピング作業によって削り出されたランド部２１６からのプラスチック製切屑（チップ）は、上記リセス溝２１１を介して、順次、ナット部２１の外側へと排出されるようになる。すなわち、上記タッピング作業時において、図４に示す如く、上記ナット部２１の横断面形態において、リセス溝２１１にて形成される断面積（Ａ）の方が、ランド部２１６にて形成される断面積（Ｂ）よりも大きな値を有するようになっているので、タッピング作業によってランド部２１６から生成されるチップの量は、リセス溝２１１の空間ボリュームよりも、常に小さな値に規制されることとなる。その結果、ナット部２１のタッピング作業によって生成されるチップは、上記リセス溝２１１を介して円滑にナット部２１の外側へと排出されるようになり、タッピング作業は円滑に進められるようになる。これによって、ナット部２１を有するグロメット２のスタッドボルト５への締付作業（取付作業）も円滑に進められるようになる。すなわち、シート状部材６のパネル３への装着作業が円滑に行われるようになる。
【図面の簡単な説明】
【００１８】
【図１】本発明の主要部を成すグロメットとスペーサとの関係を示す展開図である。
【図２】本発明の全体構成を示す縦断面図である。
【図３】本発明の主要部をなすグロメットの全体構成を示す縦断面図である。
【図４】本発明の主要部をなすグロメットのリセス溝周りの構造を示す部分横断面図である。
【図５】本発明の主要部をなすグロメットの全体構成を示す平面図である。
【符号の説明】
【００１９】
１  スペーサ
１１  筒状部
１１１  係合部
１２  フランジ部
１５  内径部
２  グロメット
２１  ナット部
２１１  リセス溝
２１２  雌ネジ部
２１５  工具係合部
２１６  ランド部
２２  挿入部
２２１  フック部
２２２  ガイド部
２５  弾性フランジ部
３  パネル
５  スタッドボルト
５１  雄ネジ部
５２  先端部
５５  下端部
６  シート状部材
６６  クリップ装着用穴
９  工具
【図１】
2005090681.tif 000003
【図２】
2005090681.tif 000004
【図３】
2005090681.tif 000005
【図４】
2005090681.tif 000006
【図５】
2005090681.tif 000007